(57)【要約】  【課題】モータを使用しないでも天窓を開閉可能とし、かつ安価な構造で天窓を開閉可能とする。  【解決手段】押し上げアームの高さ寸法より短い引っ張りコイルバネがハウスの天井と前記押し上げアーム下端又は下端寄りとの間に張設してあるので、前記の短い引っ張りコイルバネのバネ力で天窓が開かれる。ただし、天窓を押し開ける押し上げアームが操作ロープから開放されて、押し上げアームが自由な場合に限る。この操作ロープを引くと、前記の引っ張りコイルバネの下端も前記の押し上げアームの下端と共に操作ロープで引っ張られるので、天窓が閉じられると共に引っ張りコイルバネは伸びた状態となる。【選択図】  図５
2018042553.tif 000002
【特許請求の範囲】
【請求項１】
天窓を押し開けるＵ字状の押し上げアームの自由端側が操作ロープの上端と連結されており、しかも前記押し上げアームの高さ寸法より短い引っ張りコイルバネがハウス側の天井と前記押し上げアーム下端又は下端寄りとの間に張設してあることを特徴とする農業用ハウスの窓穴開閉機構。
【請求項２】
前記の操作ロープの所定の位置をハウス側に固定する構造としたことを特徴とする請求項１に記載の農業用ハウスの窓穴開閉機構。
【請求項３】
前記の押し上げアームの下端と前記操作ロープとの間に緩衝用の引っ張りコイルバネを介在させたことを特徴とする請求項１又は請求項２に記載の農業用ハウスの窓穴開閉機構。
【請求項４】
前記の天窓の開口を閉じる防虫ネットをＶ字状に二つ折りにして、その折り目を天窓の開閉支点側にバネで引っ張る構造としたことを特徴とする請求項１から請求項３までのいずれかに記載の農業用ハウスの窓穴開閉機構。
【請求項５】
前記の引っ張りコイルバネに代えて、天窓を押し開ける圧縮バネを天窓とハウス側との間に設けたことを特徴とする請求項１から請求項４までのいずれかに記載の農業用ハウスの窓穴開閉機構。
【請求項６】
前記天窓の外周に設けた上枠の両辺と自由端との３辺を受けるハウス側に固定の下枠の３辺の内縁を、軟質の水滴浸入防止材に形成した溝に挿入固定して成ることを特徴とする請求項１から請求項５までのいずれかに記載の農業用ハウスの窓穴開閉機構。
【請求項７】
前記の操作ロープに代わる１本のテープに間欠的に穴を設けて、その穴にピン状又はボルト状のストッパーを挿入して位置決めする構造としたことを特徴とする請求項１から請求項６までのいずれかに記載の農業用ハウスの窓穴開閉機構。
【発明の詳細な説明】
【技術分野】
【０００１】
本発明は、農業用ハウスの天窓や壁窓の開閉を引っ張りコイルバネ等のバネ力を利用して安価に提供する。
【背景技術】
【０００２】
農業用ハウスの天窓をモータの力で開閉可能とした省力型が有るが問題が多く、この問題を解消すべく特許文献１のような構成が提案されている。すなわち、特許文献１の構造は、ビニールハウスに取付けたパイプに、曲げたアームの一端を差し込み、前記アームの他端にモータ取付け台を吊るし、このモータ取付け台にモータを取付ける。そして、モータシャフトにユニバーサルジョイントと巻き上げパイプを取付けてある。このような構造にすると、アームの先端が首振りしてモータを適当な位置に運ぶと共に、アームに支持されたモータが首振り可能なため、ユニバーサルジョイントに無理な力を加えることがない、という。
【先行技術文献】
【特許文献】
【０００３】
実公平６-47253号公報
【発明の概要】
【発明が解決しようとする課題】
【０００４】
しかしながら、特許文献１のような構造では、依然として構造が複雑に成るほか、モータを用いるため、高価な窓穴開閉機構となる。
本発明の技術的課題は、このような問題に着目し、モータを使用しないでも天窓や側窓をバネ圧で開閉可能とし、かつ安価な構造で窓穴を開閉可能とする。
【課題を解決するための手段】
【０００５】
本発明の技術的課題は次のような手段によって解決される。請求項１は、天窓を押し開けるＵ字状の押し上げアームの自由端側が操作ロープの上端と連結されており、しかも前記押し上げアームの高さ寸法より短い引っ張りコイルバネがハウス側の天井と前記押し上げアーム下端又は下端寄りとの間に張設してあることを特徴とする農業用ハウスの窓穴開閉機構である。
【０００６】
請求項２は、前記の操作ロープの所定の位置をハウス側に固定する構造としたことを特徴とする請求項１に記載の農業用ハウスの窓穴開閉機構である。
【０００７】
請求項３は、前記の押し上げアームの下端と前記操作ロープとの間に緩衝用の引っ張りコイルバネを介在させたことを特徴とする請求項１又は請求項２に記載の農業用ハウスの窓穴開閉機構である。
【０００８】
請求項４は、前記の天窓の開口を閉じる防虫ネットをＶ字状に二つ折りにして、その折り目を天窓の開閉支点側にバネで引っ張る構造としたことを特徴とする請求項１から請求項３までのいずれかに記載の農業用ハウスの窓穴開閉機構である。
【０００９】
請求項５は、前記の引っ張りコイルバネに代えて、天窓を押し開ける圧縮バネを天窓とハウスとの間に設けたことを特徴とする請求項１から請求項４までのいずれかに記載の農業用ハウスの窓穴開閉機構である。
【００１０】
請求項６は、前記天窓の外周に設けた上枠の両辺と自由端との３辺を受けるハウス側に固定の下枠の３辺の内縁を、軟質の水滴浸入防止材に形成した溝に挿入固定して成ることを特徴とする請求項１から請求項５までのいずれかに記載の農業用ハウスの窓穴開閉機構である。
【００１１】
請求項７は、前記の操作ロープに代わる１本のテープに間欠的に穴を設けて、その穴にピン状又はボルト状のストッパーを挿入して位置決めする構造としたことを特徴とする請求項１に記載の農業用ハウスの窓穴開閉機構である。
【発明の効果】
【００１２】
請求項１のように、押し上げアームの高さ寸法より短い引っ張りコイルバネがハウスの天井と前記押し上げアーム下端又は下端寄りとの間に張設してあるので、前記の短い引っ張りコイルバネのバネ力で天窓が開かれる。ただし、天窓を押し開ける押し上げアームが操作ロープから開放されて、押し上げアームが自由な場合に限る。この操作ロープを引くと、前記の引っ張りコイルバネの下端も前記の押し上げアームの下端と共に操作ロープで引き下げられるので、天窓が閉じられると共に引っ張りコイルバネは伸びた状態となる。
【００１３】
前記の操作ロープを下方に引っ張っても、手を離すと、引っ張りコイルバネの縮もうとするバネ力で天窓は引き開けられ、引っ張りコイルバネも元に戻って縮む。しかし、請求項２のように、前記の操作ロープを引き下げてハウス側に固定すると、操作ロープを下方に引っ張った状態となり、天窓を閉じた状態となる。
【００１４】
請求項３のように、前記の押し上げアームの下端と前記操作ロープとの間に緩衝用の引っ張りコイルバネを介在させたので、操作ロープを下方に引っ張って天窓を完全に閉鎖しても、バッタンと衝撃的に閉じられることは無く、しかも緩衝用の引っ張りコイルバネの作用で弾圧され、衝撃が緩和されると共に常時確実にバネ力で弾圧閉鎖される。
【００１５】
請求項４のように、前記の天窓の開口を閉じる防虫ネットを虫避けにしているが、天窓を閉じる際に、前記防虫ネットをＶ字状に二つ折りにして内側に引っ込める構造にしているが、前記Ｖ字状折り目を天窓の開閉支点側にバネで引っ張る構造としたので、天窓を閉じた際に前記防虫ネットが雨で濡れたり、雨水がハウス内に入るのも防止できる。
【００１６】
請求項５のように、前記の天窓が押し開かれた状態に押し上げる圧縮バネを設けてあるので、前記引っ張りコイルバネが無い構造でも、確実に天窓が開放される。
【００１７】
請求項６のように、前記天窓の外周に設けた上枠の両辺と自由端との３辺を受けるハウス側に固定の下枠の３辺の内縁を、軟質の水滴浸入防止材に形成した溝に挿入固定したので、天窓を閉じた状態で雨滴などが浸入することは無く、また天窓を閉じた時の金属同士の衝撃音が解消される。
【００１８】
請求項７のように、前記の操作ロープに代わる１本のテープに間欠的に穴を設けて、その穴にピン状又はボルト状のストッパーを挿入して位置決めする構造としたので、ピン状又はボルト状のストッパーを挿入する穴を選択するだけで確実に、天窓を開閉状態に固定できる。
【図面の簡単な説明】
【００１９】
【図１】天窓を閉じた状態の断面図である。
【図２】天窓を開けた状態の断面図である。
【図３】天窓を開けた状態の正面図である。
【図４】緩衝バネを押し上げアームと開閉テープとの間に介在させた断面図である。
【図５】緩衝バネ付きの天窓が開いた状態の断面図である。
【図６】天窓とアーチパイプ又は下枠との間に介在させた捩じりバネに抗して天窓を閉じた状態の断面図である。
【図７】天窓とアーチパイプ又は下枠との間に介在させた捩じりバネで天窓を開けた状態の断面図である。
【図８】圧縮コイルバネに抗して天窓を閉じた状態の断面図である。
【図９】圧縮コイルバネで天窓を開けた状態の断面図である。
【図１０】１本のテープで天窓を開閉状態に保持した正面図である。
【図１１】ハウス側に固定した天窓下枠の水滴浸入防止構造を示す断面図である。
【発明を実施するための形態】
【００２０】
次に本発明による農業用ハウスの天窓開閉機構が実際上どのように具体化されるか実施形態を説明する。図１は天窓Ｃを閉じた状態の断面図、図２は天窓Ｃを開けた状態の断面図、図３は天窓Ｃを開けた状態の正面図である。この天窓Ｃの外周が入る下枠１をハウス天井部のアーチパイプＰ上に古設してあり、天窓Ｃを開けた際に虫が入らないように、防虫ネットＮで開口を閉じてある。この防虫ネットＮはＶ字状に二つ折りにすると共に折り目２に紐３を接続し、紐３をコイルバネ４で引っ張って、二つ折りの防虫ネットＮが天窓Ｃの下側に収納される構造になっている。
【００２１】
Ｕ字状の押し上げアーム５の両上端を、天窓Ｃの左右の枠に軸支してあり、下端に引っ張りコイルバネＳの下端を連結してある。この引っ張りコイルバネＳの上端は、ハウスの天井部のアーチパイプＰに直接に又はこのアーチパイプＰとクロスさせた梁材に取付けてある。そして、押し上げアーム５の連結下端に閉ロープＲｃを取付けて、この閉ロープＲｃを下方に引くと、天窓Ｃが引き下げられて閉じると共に引っ張りコイルバネＳの下端も引き下げられて伸びる。引っ張りコイルバネＳのハネ力で閉ロープＲｃが引き上げられないようにバックル式ストッパー６B で保持されている。開ロープＲｏを引いて前記閉ロープＲｃをバックル式ストッパー６B から外すと、引っ張りコイルバネＳが縮んで、天窓Ｃが押し上げられて開く。なお、バックル式のストッパー６B は、ハウス側に取付けらている。
【００２２】
図４のように、引っ張りコイルバネから成る緩衝バネＢを前記押し上げアーム５と開閉テープｔとの間に介在させてある。従って、開閉テープｔを引き下げて、天窓Ｃが下枠１に当たるまで閉じても、緩衝バネＢのバネ力で緩衝されると共に常時確実にバネ力で弾圧閉鎖される。なお、この緩衝バネＢのバネ力は、天窓開放コイルバネＳより強い。図５は、天窓Ｃが開いた状態である。
【００２３】
図６、図７は、引っ張りコイルバネＳに代えて、捩じりバネ７を天窓ＣとアーチパイプＰ又は下枠１との間に介在させてある。すなわち、捩じりバネ７の一端７１は天窓Ｃの下面に当接させ、他端７２はハウス天井部のアーチパイプＰ又は下枠１と連結したバネ受け11に当接させてある。なお、上下両端の間は圧縮バネの作用をする。従って、閉ロープＲｃを引き下げると、捩じりバネ７の圧縮バネ圧に抗して、天窓Ｃが図６のように閉じられる。開ロープＲｏを引き下げてバックル式ストッパー６B を解除すると、捩じりバネ７が開いて天窓Ｃが開く。
【００２４】
図８、図９は、引っ張りコイルバネＳに代えて、圧縮コイルバネ８を用いている。すなわち、圧縮コイルバネ８の上端を天窓Ｃに取付け、下端を下枠１のバネ受け11又はアーチパイプＰ側に取付けてあり、前記捩じりバネ７と同様な作用となる。なお、圧縮力を有するバネであれば、前記捩じりバネ７や圧縮コイルバネ８以外を用いてもよい。
【００２５】
図10は、閉ロープＲｃと開ロープＲｏを１本で兼用できる構成であり、１本の開閉テープｔを用いている。すなわち、開閉テープｔには間欠的に穴ｈ…を開けてあり、この穴ｈ…に、図４のような、ピン状又はボルト状のストッパー６I を挿入すると、所望の位置に保持される。従って、ストッパーの入る穴ｈを選択することで、天窓Ｃを閉鎖位置に保持したり、開放位置に保持できる。なお、前記ストッパー６I は、ハウス側に取付けらている。
【００２６】
図11の断面図は、ハウスのアーチパイプＰ上に固定された天窓下枠１の水滴浸入防止構造を示したもので、天窓下枠１の内側の板状内縁1eを、ゴムや軟質合成樹脂などの弾性材から成る水滴浸入防止材Ｇに形成した溝に嵌入固定してある。この板状内縁1eは、図のように先端を折り曲げて二重にした形状も含むものとする。外周に形成した末広がりの公知の溝1gにはビニールシートなどの被覆膜の外周縁が挿入固定される。
図10のように、天窓下枠１の左右の板状内縁１ｅ・１ｅも、ゴムや軟質合成樹脂などの弾性材から成る水滴浸入防止材Ｇに形成した溝に嵌入固定してある。従って、図11と同じ構造である。その結果、天窓を閉じた状態で雨滴などが浸入することは無く、ハウス内部が濡れることも無い。また、天窓を閉じた時の金属同士の衝撃音も解消される。
【産業上の利用可能性】
【００２７】
以上のように、操作ロープを引き下げることで、天窓を開けたり、閉鎖状態に保持でき、また引っ張りバネや圧縮バネによって、天窓Ｃを開放状態に保持できる。さらに、天窓を開放した際の開口を閉じる防虫ネットの二つ折りした折り目を引っ張りコイルバネで常時引っ張ることで、防虫ネットをハウスの内側に収納できる。
【符号の説明】
【００２８】
Ｃ  天窓
１  天窓の下枠
1e  板状内縁
1g  溝
Ｎ  防虫ネット
２  折り目
３  紐
４  引っ張りコイルバネ
５  押し上げアーム
Ｓ  引っ張りコイルバネ
Ｒｃ  閉ロープ
６B バックル式ストッパー
６I ピン状又はボルト状のストッパー
Ｒｏ  開ロープ
Ｂ  緩衝バネ
７  捩じりバネ
71  一端
72  他端
11  バネ受け
８  圧縮コイルバネ
ｔ  開閉テープ
ｈ  穴
Ｇ  水滴浸入防止材
【図１】
2018042553.tif 000003
【図２】
2018042553.tif 000004
【図３】
2018042553.tif 000005
【図４】
2018042553.tif 000006
【図５】
2018042553.tif 000007
【図６】
2018042553.tif 000008
【図７】
2018042553.tif 000009
【図８】
2018042553.tif 000010
【図９】
2018042553.tif 000011
【図１０】
2018042553.tif 000012
【図１１】
2018042553.tif 000013